(57)【要約】【課題】ＩＰ電話システム構築時に専用のＩＰ端末を用いて、接続する必要がある。【解決手段】ＩＰ端末と、このＩＰ端末を収容するＩＰ構内交換機と、を含んで構成されたＩＰ電話システムにおいて、ＩＰ構内交換機は、アドレッシング処理部とダウンロード処理部とを備え、ＩＰ端末から収容要求を受信したとき、認証を実施し、認証可のとき、ＩＰ端末にアプリケーションをダウンロードし、ＩＰ端末は、アプリケーションを起動して、内線番号をＩＰ構内交換機から取得するＩＰ電話システムにより、達成できる。【選択図】図７
2015119391.tif 000002
【特許請求の範囲】
【請求項１】
ＩＰ端末と、このＩＰ端末を収容するＩＰ構内交換機と、を含んで構成されたＩＰ電話システムにおいて、
前記ＩＰ構内交換機は、アドレッシング処理部とダウンロード処理部とを備え、前記ＩＰ端末から収容要求を受信したとき、認証を実施し、認証可のとき、前記ＩＰ端末にアプリケーションをダウンロードし、
前記ＩＰ端末は、前記アプリケーションを起動して、内線番号を前記ＩＰ構内交換機から取得することを特徴とするＩＰ電話システム。
【請求項２】
請求項１に記載のＩＰ電話システムであって、
前記ＩＰ構内交換機は、前記ＩＰ端末から、前記内線番号を付与された内線番号要求を受信したとき、前記内線番号に対応するＩＰアドレスを更新し、内線番号応答を前記ＩＰ端末に送信することを特徴とするＩＰ電話システム。
【請求項３】
ＩＰ端末を収容するＩＰ構内交換機において、
アドレッシング処理部とダウンロード処理部とを備え、前記ＩＰ端末から収容要求を受信したとき、認証を実施し、認証可のとき、前記ＩＰ端末にアプリケーションをダウンロードし、前記ＩＰ端末から、内線番号付与ない内線番号要求を受信したとき、未使用の内線番号に対応するＩＰアドレスを更新し、当該内線番号を付与した内線番号応答を前記ＩＰ端末に送信することを特徴とするＩＰ構内交換機。
【請求項４】
請求項３に記載のＩＰ構内交換機であって、
前記ＩＰ端末から、前記内線番号を付与された内線番号要求を受信したとき、前記内線番号に対応するＩＰアドレスを更新し、内線番号応答を前記ＩＰ端末に送信することを特徴とするＩＰ構内交換機。
【発明の詳細な説明】
【技術分野】
【０００１】
本発明は、ＩＰ電話通信システムおよびＩＰ構内交換機に係り、特にＩＰネットワーク上で電話交換および音声伝送を行うＩＰ電話システムおよびＩＰ構内交換機に関する。
【背景技術】
【０００２】
ＩＰ電話システムとして、ＩＰプロトコルを使用して、音声情報を通信する電話システムが知られている。この電話システムは、ＩＰ電話システムと称され、広域電話網だけでなく構内電話網などのローカル通信網にも応用され、ＩＰ構内交換機あるいはＩＰ−ＰＢＸと称される構内交換機にも適応されている。以下、ＩＰ交換システムにおける電話端末をＩＰ端末と称し、ＩＰ端末を管理するサーバをＩＰ−ＰＢＸと称する。
【０００３】
また、ＩＰ交換システム（ＩＰ電話システム）は、各拠点をＩＰ網で相互接続することで、同一ＩＰネットワークであれば、場所を問わず、ＩＰ端末を内線電話として利用することも可能である。しかし、ＩＰ端末をＩＰ電話システムに追加する場合、ＩＰ−ＰＢＸ側およびＩＰ端末側で当該ＩＰ端末のＩＰアドレスおよび内線番号を登録・設定する必要がある。そのため、大量のＩＰ端末の追加を伴うシステム構築時には、登録・設定作業をＩＰ端末の台数分繰り返す必要があり、膨大な登録・設定作業によって、システム構築コストが増大する。 特に、ＩＰ網で相互接続された拠点をまたいだＩＰ電話システム構築する場合、管理サーバを設置する必要があるため、ＩＰ−ＰＢＸ側およびＩＰ端末側で当該ＩＰ端末の登録・設定する作業が拠点数分以上必要であった。
【０００４】
システム構築コストを削減する手法は、従来から種々提案されている。例えば、特許文献１は、ＩＰ電話システム構築時に、ＩＰ−ＰＢＸが、ＩＰ端末に対して、ＩＰ端末のＭＡＣアドレスから内線番号、ＩＰアドレスを自動的に付与することで、システム構築時のＩＰ端末側の煩雑な設定作業を削減し、ＩＰ電話システム構築コストを削減する技術を開示する。
【０００５】
また、特許文献２は、各拠点がＩＰ網で相互接続された拠点間での通話が可能なＩＰ電話システム構築時に、拠点間のログイン管理を行う管理サーバを設置することなく、ＩＰ−ＰＢＸが、ログイン管理を行うことで、管理サーバを設置する作業を削減し、ＩＰ電話システム構築コストを削減する技術を開示する。
【先行技術文献】
【特許文献】
【０００６】
【特許文献１】特開２００６−１０８８７６号公報
【特許文献２】特開２００８−１３６０９２号公報
【発明の概要】
【発明が解決しようとする課題】
【０００７】
どちらの特許文献の技術においても、ＩＰ電話システム構築時に専用のＩＰ端末を用いて、接続する必要がある。そのため、ＩＰ電話システム構築時に事前に専用のＩＰ端末を用意する必要があり、ＩＰ電話システムを構築するコストが大である。
【０００８】
また、特許文献１のＩＰ電話システムの場合、ＩＰ網で相互接続された拠点をまたいだＩＰ電話システムでＩＰ端末が拠点を移動し、他拠点のＩＰ−ＰＢＸに管理される場合、同一内線番号を利用できない。
【課題を解決するための手段】
【０００９】
上述した課題は、ＩＰ端末と、このＩＰ端末を収容するＩＰ構内交換機と、を含んで構成されたＩＰ電話システムにおいて、ＩＰ構内交換機は、アドレッシング処理部とダウンロード処理部とを備え、ＩＰ端末から収容要求を受信したとき、認証を実施し、認証可のとき、ＩＰ端末にアプリケーションをダウンロードし、ＩＰ端末は、アプリケーションを起動して、内線番号をＩＰ構内交換機から取得するＩＰ電話システムにより、達成できる。
【００１０】
また、ＩＰ端末を収容するＩＰ構内交換機において、アドレッシング処理部とダウンロード処理部とを備え、ＩＰ端末から収容要求を受信したとき、認証を実施し、認証可のとき、ＩＰ端末にアプリケーションをダウンロードし、ＩＰ端末から、内線番号付与ない内線番号要求を受信したとき、未使用の内線番号に対応するＩＰアドレスを更新し、当該内線番号を付与した内線番号応答をＩＰ端末に送信するＩＰ構内交換機により、達成できる。
【発明の効果】
【００１１】
本発明によれば、専用のＩＰ端末を用いることなく、ＩＰ端末を接続するための制御機能、ＤＨＣＰサーバ機能、ＨＴＴＰサーバ機能を備えたＩＰ−ＰＢＸを用いることで、ＩＰ電話システム構築時に事前に専用のＩＰ端末を用意する必要がない。
【図面の簡単な説明】
【００１２】
【図１】ＩＰ電話システムのブロック図である。
【図２】ＩＰ−ＰＢＸのブロック図である。
【図３】ＩＰ端末のブロック図である。
【図４】内線管理テーブルを説明する図である。
【図５】ＭＡＣアドレス−ＩＰアドレス変換テーブルを説明する図である。
【図６】ＩＰ−ＰＢＸとＩＰ端末間の通信に用いるメッセージのフォーマットである。
【図７】ＩＰ−ＰＢＸとＩＰ端末間の登録動作のシーケンス図である。
【図８】ＭＡＣアドレスが登録されていないＩＰ端末とＩＰ−ＰＢＸ間の動作シーケンス図である。
【図９】未使用の内線番号がないＩＰ−ＰＢＸとＩＰ端末間の動作シーケンス図である。
【図１０】２台のＩＰ−ＰＢＸとＩＰ端末間の拠点移動の動作シーケンス図である。
【図１１】ＩＰ−ＰＢＸがＲＥＱＵＥＳＴメッセージを受信したときのフロチャートである。
【図１２】ＩＰ−ＰＢＸが内線番号検索登録要求を受信したときのフロチャートである。
【図１３】ＩＰ−ＰＢＸのＭＡＣアドレス登録のフロチャートである。
【図１４】ＩＰ−ＰＢＸへの内線番号検索登録要求メッセージおよび内線番号検索登録要求応答メッセージのフォーマットである。
【図１５】ＩＰ−ＰＢＸへの内線番号検索登録要求応答メッセージおよび内線番号検索登録要求メッセージのフォーマットである。
【図１６】ＩＰ−ＰＢＸへの内線番号検索登録要求応答メッセージのフォーマットである。
【発明を実施するための形態】
【００１３】
以下、本発明の実施の形態について、実施例を用い、図面を参照しながら詳細に説明する。
【００１４】
図１を参照して、ＩＰ（Internet Protocol）電話システムを説明する。ＩＰ電話システムは、ＩＰ−ＰＢＸ（Internet Protocol − Private Branch eXchange）１と、ＨＵＢ３と、メンテナンスパネル装置（ＭＰ）４と、ＩＰ網５と、無線ＡＰ（Access Point）６と、ＩＰ端末７と、ＬＡＮケ−ブル９と、を含んで構成されている。
【００１５】
ＨＵＢ３は、複数のＬＡＮ（Local Area Network）通信用である。ＭＰ４は、端末装置である。ＩＰ端末７は、無線ＡＰ６により無線ＬＡＮ接続される。ＬＡＮケ−ブル９は、社内、構内用の通信線である。
【００１６】
ＨＵＢ３は、ＩＰネットワークにおける集線装置（Concentrator）である。ＨＵＢ３は、社内、構内用のＬＡＮケ−ブル９を通じて、ＩＰ−ＰＢＸ１と、ＩＰ網５と、無線ＡＰ６と、ＩＰ端末７と、を接続している。
【００１７】
ＩＰ−ＰＢＸ１は、制御部１０と、記憶部２０と、ＬＡＮインタフェース部５０と、入出力部６０と、ＢＵＳ８０と、を含んでから構成されている。ＬＡＮインタフェース部５０と、ＩＰ端末７間は、ＬＡＮケーブル９と、ＨＵＢ３と、無線ＡＰ６、およびＩＰ網５で接続されている。音声信号および制御信号は、ＩＰパケットにより伝送される。
【００１８】
制御部１０は、ＩＰ−ＰＢＸ１全体を統制・制御している。制御部１０は、「内線番号検索登録要求」「内線番号検索登録要求応答」メッセージのメッセージ解析、制御を行う。また、制御部１０は、ＤＨＣＰ（Dynamic Host Configuration Protocol）サーバ機能とＨＴＴＰ（Hyper Text Transfer Protocol）サーバ機能を有している。
【００１９】
記憶部２０は、内線管理テーブル２２と、ＭＡＣ（Media Access Control）アドレス−ＩＰアドレス変換テーブル２１と、番号管理テーブル２４と、内線アプリケーション２３と、を格納する。番号管理テーブル２４は、内線番号、他拠点発信特番を管理する。
【００２０】
ＭＰ４は、ＩＰ−ＰＢＸ１の動作に必要なデータを設定する。ＭＰ４は、入出力装置６０４と接続されている。ＩＰ−ＰＢＸ１の使用条件に応じて、ＭＰ４は、入出力装置６０とＢＵＳ８０と制御部１０を経由して記憶部２０に対して必要なデータを設定する。必要なデータは、具体的には、内線番号、他拠点発信特番が含まれる。
【００２１】
無線ＡＰ６は、ＩＰ端末７を無線ＬＡＮにより接続する。無線ＡＰ６は、ＩＰ端末７からのＩＰパケットをＩＰ−ＰＢＸ１に伝送するインタフェースである。
【００２２】
ＩＰ端末７−１〜７−ｎは、拠点１のＩＰ−ＰＢＸ１−１と接続する端末である。一方、ＩＰ端末７−ｎ＋１−１〜７−ｍは、拠点２のＩＰ−ＰＢＸ１−２と接続する端末である。ＩＰパケットの送受信は、無線ＡＰ６とＨＵＢ３とＬＡＮケーブル９を経由して行われる。また、ＩＰ端末７−１〜７−ｎは、拠点１のＩＰ−ＰＢＸ１−１から「１０００」〜「１００ｎ」の内線番号が付与されている。一方、ＩＰ端末７−ｎ＋１は、拠点２のＩＰ−ＰＢＸ１−２から「２０００」の内線番号が付与されている。
【００２３】
図１において、拠点１と拠点２が存在している。拠点１は、ＩＰ−ＰＢＸ１−１により管理され、拠点２は、ＩＰ−ＰＢＸ１−２により管理されている。それぞれの拠点は、具体的には、東京と大阪である。両拠点は、ＩＰ網５により接続されている。拠点１のＩＰ−ＰＢＸ１−１のＩＰ端末７−１（内線番号１０００）が、拠点２のＩＰ端末７−ｎ＋１と通話する場合、ＩＰ端末７−１は、ＩＰ−ＰＢＸ１−２への接続用特番とＩＰ端末７−ｎ＋１の内線番号（２０００）とを組み合わせた番号を入力する。
【００２４】
ＩＰ端末７−１が拠点１から拠点２に移動したとき、ＩＰ端末７−１は、ＩＰ−ＰＢＸ１−２からＩＰアドレスを割り当てられ、ＩＰ−ＰＢＸ１−２にログインし、拠点１で使用していた内線番号１０００を使用することができる。そのメッセージの送受信動作シーケンスは、図１０を参照して、後述する。
【００２５】
図２を参照して、ＩＰ−ＰＢＸの構成を説明する。図２において、ＩＰ−ＰＢＸ１は、制御部１０と、記憶部２０と、ＬＡＮインタフェース部５０と、入出力部６０と、ＢＵＳ８０と、を含んで構成されている。制御部１０は、呼制御部１１と、処理判断部１２と、各種サーバ機能部１３と、を含む。処理判断部１２は、内線番号検索処理部１４を含む。各種サーバ機能部１３は、ＨＴＴＰサーバ機能部１５と、ＤＨＣＰサーバ機能部１６と、を含む。入出力部６０は、ＭＰ４を接続する。ＬＡＮインタフェース部５０は、ＨＵＢ３を接続する。
【００２６】
呼制御部１１は、制御用パケットを受信し、通話できるように制御する。各種処理判断部１２は、各種処理の判断を行う。内線番号検索登録処理部１４は、内線番号検索登録要求メッセージと内線番号検索登録要求応答メッセージのメッセージ解析、制御を行う。ＨＴＴＰサーバ機能部１５は、ＨＴＴＰプロトコルによる接続処理を行う。ＨＴＴＰサーバ機能部１５は、ＨＴＴＰ問い合わせ、ＨＴＴＰ応答メッセージの送受信を行う。ＨＴＴＰサーバ機能部１５は、内線アプリケーションのダウンロード処理を実施する。ＨＴＴＰサーバ機能部１５は、ダウンロード処理部である。
【００２７】
ＤＨＣＰサーバ機能部１６は、ＤＨＣＰプロトコルによる接続処理を行う。ＤＨＣＰサーバ機能部１６は、ＤＩＳＣＯＶＥＲメッセージ、ＯＦＦＥＲメッセージ、ＲＥＱＵＥＳＴメッセージ、ＡＣＫメッセージ、ＮＡＫメッセージの送受信を行う。ＤＨＣＰサーバ機能部１６は、認証とＩＰアドレッシング処理を実施する。ＤＨＣＰサーバ機能部１６は、ＩＰアドレッシング処理部である。
【００２８】
記憶部２０は、ＭＡＣアドレス−ＩＰアドレス変換テーブル２１と、内線管理テーブル２２と、内線アプリケーション２３と、番号管理テーブル２４と、が格納されている。番号管理テーブル２４は、内線番号、他拠点発信特番を管理する。ＭＡＣアドレス−ＩＰアドレス変換テーブル２１は、ＤＨＣＰサーバ機能部１６で使用する管理テーブルで、図５を参照して後述する。内線管理テーブル２２は、内線番号検索登録処理部１４で使用するテーブルで、図４を参照して後述する。内線アプリケーション２３は、ＩＰ端末にダウンロードする。
【００２９】
図３を参照して、ＩＰ端末の構成を説明する。図３において、ＩＰ端末７は、制御部３０と、記憶部４０と、ＬＡＮインタフェース部７１と、ＢＵＳ７２と、音声出力部７３と、音声入力部７４と、表示出力部７５と、入力部７６と、を含んで構成されている。制御部３０は、制御処理部３１と、各種クライアント機能部３２と、音声制御部３３と、表示制御部３４と、入力感知部３５と、を含んで構成されている。制御処理部３１は、制御用のパケットを受取り、通話できるように制御する。各種クライアント機能部３２は、ＨＴＴＰクライアント機能部３６と、ＤＨＣＰクライアント機能部３７と、を備える。音声制御部３３は、音声出力部７３と音声入力部７４とからの入出力を処理し、音声の圧縮・解凍を行う。表示制御部３４は、制御処理部３１からの表示情報を元に表示出力部７５で表示するための制御を行なう。入力感知部３５は、ＩＰ端末操作者の操作を感知して制御部３０に伝達する。ＨＴＴＰクライアント機能部３６は、ＩＰ−ＰＢＸ１とのＨＴＴＰプロトコルによる接続処理を行う。ＨＴＴＰクライアント機能部３６は、ＨＴＴＰ問い合わせ、ＨＴＴＰ応答メッセージを送受信し、処理する。ＤＨＣＰクライアント機能部３７は、ＩＰ−ＰＢＸ１−１とのＤＨＣＰプロトコルによる接続処理を行う。ＤＨＣＰクライアント機能部３７は、ＤＩＳＣＯＶＥＲメッセージ、ＯＦＦＥＲメッセージ、ＲＥＱＵＥＳＴメッセージ、ＡＣＫメッセージ、ＮＡＫメッセージを送受信し、処理する。
【００３０】
記憶部４０は、内線アプリケーション４１と、ＩＰアドレステーブル４２と、ＭＡＣアドレステーブル４３と、内線番号テーブル４４と、を記憶する。内線アプリケーション４１は、ＩＰ−ＰＢＸ１から内線アプリケーション２３をダウンロードした後に格納する。ＩＰアドレステーブル４２は、ＩＰ端末７のＩＰアドレスを格納する。ＭＡＣアドレステーブル４３は、ＩＰ端末７のＭＡＣアドレスを格納する。内線番号テーブル４４は、ＩＰ端末の内線番号を格納する。ＬＡＮインタフェース部７１は、ＨＵＢ３を接続する。ＬＡＮインタフェース部７１は、ＩＰパケットの送受信を行う。ＢＵＳ７２は、呼制御部３０と記憶部４０とＬＡＮインタフェース部７１を接続する。音声出力部７３は、ＩＰ端末操作者に音声を出力する。音声出力部７３は、音声制御部３３により制御される。音声入力部７４は、ＩＰ端末操作者からの音声を入力する。音声入力部７４は、音声制御部３３により制御される。表示出力部７５は、ＩＰ端末操作者に対して、具体的にはＩＰアドレスが設定された場合、表示制御部から制御信号を受信し、制御信号の通り、表示を出力する。入力部７６は、ＩＰ端末操作者の操作を感知して、入力感知部３５に通知する。ＩＰ端末７は、典型的にはスマートフォンである。
【００３１】
図４を参照して、ログイン時に用いる内線管理テーブルを説明する。図４において、内線管理テーブル２２は、使用中フラグ２２１と、内線番号２２２と、ＩＰアドレス２２３と、により構成される。使用中フラグ２２１には、その内線番号が使用中かどうかのフラグが格納される。また、この使用中フラグ２２１が０の場合、未使用と判断し、１の場合、使用中と判断する。内線番号２２２には、使用可能な内線番号が格納される。ＩＰアドレス２２３には、その内線番号２２２を使用しているＩＰアドレスが格納される。図４において、内線番号１０００と内線番号１００１が使用中である。また、それぞれ１９２.１６８.０.１１０と１９２.１６８.０.１１１のＩＰアドレスを有するＩＰ端末が、内線番号１０００と内線番号１００１を使用している。内線番号１００２は、使用されていない。
【００３２】
図５を参照して、ＤＨＣＰプロトコルで使用するＭＡＣアドレス−ＩＰアドレス変換テーブルを説明する。図５において、ＭＡＣアドレス−ＩＰアドレス変換テーブル２１は、ＭＡＣアドレス２１１と、ＩＰアドレス２１２と、により構成される。ＭＡＣアドレス−ＩＰアドレス変換テーブル２１は、ＭＡＣアドレス２１１からＩＰアドレス２１２を検索するテーブルである。ＤＨＣＰプロトコルにより通知されたＭＡＣアドレスがＭＡＣアドレス−ＩＰアドレス変換テーブル２１に格納されていた場合、ＩＰ端末７に対してＩＰアドレスを割り当てる。図５において、ＭＡＣアドレス−ＩＰアドレス変換テーブル２１ｎＭＡＣアドレス２１１には、０１：２３：４５：６７：８９：ＡＢ、０１：２３：４５：６７：８９：ＡＣ、０１：２３：４５：６７：８９：ＡＤが登録されている。０１：２３：４５：６７：８９：ＡＢ、０１：２３：４５：６７：８９：ＡＣのＭＡＣアドレスを有するＩＰ端末７に対して、ＩＰアドレス２１２として、それぞれ１９２.１６８.０.１１０と１９２.１６８.０.１１１が割り当てられている。ＭＡＣアドレス０１：２３：４５：６７：８９：ＡＤは、ＩＰアドレスが割り当てられていない。  
【００３３】
内線利用可能とするＩＰ端末７のＭＡＣアドレスは、ＭＡＣアドレス−ＩＰアドレス変換テーブル２１に事前に登録されている必要がある。事前登録の動作シーケンスは、図１３を参照して、後述する。
【００３４】
図６を参照して、ＩＰ−ＰＢＸ１とＩＰ端末７間の通信に用いる内線番号検索登録要求メッセージと内線番号検索登録要求応答メッセージのフォーマットを説明する。図６において、内線番号検索登録要求メッセージと内線番号検索登録要求応答メッセージは、メッセージ識別子（オクテット１）と、内線番号（オクテット２−５）と、ＩＰアドレス（オクテット６−９）と、要求結果（オクテット１０）と、により構成される。メッセージ識別子は、内線番号検索登録要求メッセージまたは内線番号検索登録要求応答のメッセージを識別する識別子が付与される。要求結果は、内線番号検索登録要求応答メッセージで利用され。ＯＫを示す値「１」またはＮＧを示す値「２」が付与される。内線番号、ＩＰアドレスには、図４に示した内線番号２２２、ＩＰアドレス２２３が付与される。ＩＰ端末７が、初回の内線番号検索登録要求メッセージ送信するとき、内線番号について００００（未定義）で通知する。メッセージの具体例は、図１４、図１５、図１６を参照して、後述する。
【００３５】
図７を参照して、ＩＰ−ＰＢＸ１−１とＩＰ端末７−１間におけるＩＰ端末７−１が内線電話となるまでのシーケンスを説明する。図７において、ＩＰ端末７−１のＭＡＣアドレスは、ＩＰ−ＰＢＸ１−１のＭＡＣアドレス−ＩＰアドレス変換テーブル２１に事前に登録されている。ＩＰ端末７−１が、ＩＰ−ＰＢＸ１に接続されるとき、ＩＰ端末７−１のＭＡＣアドレステーブル４３にＭＡＣアドレス設定が有り、ＩＰアドレステーブル４２にＩＰアドレス設定が無い状態である。
【００３６】
この状態では、ＩＰパケットの送受信ができないため、ＩＰ端末７−１は、ＤＨＣＰクライアント機能部３７を利用し、ＩＰ−ＰＢＸ１−１へ「ＤＩＳＣＯＶＥＲ」を送信する（Ｓ３）。ＩＰ−ＰＢＸ１−１は、「ＤＩＳＣＯＶＥＲ」受信後、「ＯＦＦＥＲ」を送信する（Ｓ４）。そのメッセージを受信したＩＰ端末７−１は、再度ＩＰ−ＰＢＸ１−１に対して、「ＲＥＱＵＥＳＴ」を送信する（Ｓ５）。ＩＰ−ＰＢＸ１−１は、「ＲＥＱＵＥＳＴ」を受信すると、ＭＡＣアドレス−ＩＰアドレス変換テーブル２１確認処理を実施する（Ｓ６）。
【００３７】
ここでは、ＭＡＣアドレス−ＩＰアドレス変換テーブル２１にＭＡＣアドレスの登録があるので、ＩＰ−ＰＢＸ１−１は、ＩＰ端末７−１に対して、登録されたＩＰアドレスを付加した「ＡＣＫ」を送信する（Ｓ７）。なお、ＭＡＣアドレス−ＩＰアドレス変換テーブル２１にＭＡＣアドレスの登録がない場合、ＩＰ−ＰＢＸ１−１は、ＩＰ端末７−１に対して、「ＮＡＫ」を送信する。
【００３８】
ＩＰ端末７−１は、「ＡＣＫ」を受信し、通知されたＩＰアドレスをＩＰアドレステーブル４２に設定する（Ｓ８）。ＩＰアドレスがＩＰアドレステーブル４２に設定されると、ＩＰ端末７−１は、ＨＴＴＰクライアント機能部３６を起動する（Ｓ９）。ＨＴＴＰクライアント機能部３６は、ＨＴＴＰプロトコルを使用し、ＩＰ−ＰＢＸ１−１に対して、ＨＴＴＰ問い合わせを行う（Ｓ１０）。ＩＰ−ＰＢＸ１−１は、ＨＴＴＰ問い合わせメッセージを受信後、ＨＴＴＰ応答メッセージを送信する（Ｓ１１）。ＩＰ−ＰＢＸ１−１は、ＩＰ端末７−１に対して、内線アプリケーションをダウンロードする（Ｓ１２）。
【００３９】
ＩＰ端末７−１は、インストールを受け付ける（Ｓ１４）。ＩＰ端末７−１は、アプリケーション起動を受け付ける（Ｓ１５）。内線アプリケーション起動後、ＩＰ端末７−１は、内線番号検索登録要求をＩＰ−ＰＢＸ１−１に送信する（Ｓ１６）。ＩＰ−ＰＢＸ１−１は、「内線番号検索登録要求」を受信すると、内線検索登録処理を実行する（Ｓ１７）。そこで未使用の内線番号を検索し、未使用の内線番号がある場合、ＩＰ−ＰＢＸ１−１は、内線管理テーブルに「内線番号検索登録要求」メッセージ内の付与されたＩＰアドレスを登録し、使用中フラグを使用中状態に設定し、未使用の内線番号と要求結果を「内線番号検索登録要求応答」メッセージに付加し、ＩＰ端末７−１に送信する（Ｓ１８）。ＩＰ端末７−１は、「内線番号検索登録要求応答」メッセージを受信し、内線番号を内線番号テーブル４４に設定する（Ｓ１９）。ＩＰ端末７−１は、その内線番号の端末として、内線受付可能な状態となる。
【００４０】
図８を参照して、ＩＰ−ＰＢＸ１−１とＩＰ端末７−１を用いた内線電話不正利用防止のシーケンスを説明する。図８において、ＭＡＣアドレス−ＩＰアドレス変換テーブル２１には、ＩＰ端末７−１のＭＡＣアドレスがない。この状態で、ＩＰ端末７−１は、ＤＨＣＰクライアント機能部３７を利用し、ＩＰ−ＰＢＸ１−１へ「ＤＩＳＣＯＶＥＲ」を送信する（Ｓ２１）。ＩＰ−ＰＢＸ１−１は、「ＤＩＳＣＯＶＥＲ」受信後、「ＯＦＦＥＲ」を送信する（Ｓ２２）。そのメッセージを受信したＩＰ端末７−１は、再度ＩＰ−ＰＢＸ１−１に対して、「ＲＥＱＵＥＳＴ」を送信する（Ｓ２３）。ＩＰ−ＰＢＸ１−１は、「ＲＥＱＵＥＳＴ」を受信すると、ＭＡＣアドレス−ＩＰアドレス変換テーブル２１確認処理を実施する（Ｓ２４）。
【００４１】
ここでは、ＭＡＣアドレス−ＩＰアドレス変換テーブル２１には、ＩＰ端末７−１のＭＡＣアドレスがないので、ＩＰ−ＰＢＸ１−１は、「ＮＡＫ」を送信する（Ｓ２５）。ＩＰ端末７−１は、「ＮＡＫ」を受信したとき、ＩＰアドレステーブルにＩＰアドレスを設定できない。よって、ＩＰ−ＰＢＸ１−１にＭＡＣアドレスが登録されていないＩＰ端末７−１は、ＨＴＴＰクライアント機能部３６のＨＴＴＰクライアントが起動されず、内線電話機能を利用することができない。このため、内線電話の不正利用を防止することができる。
【００４２】
図９を参照して、「内線番号検索登録要求応答」メッセージがＮＧ応答となった場合のシーケンスを説明する。図７と同様に、ＩＰ端末７−１の内線用アプリケーションは、起動後、「内線番号検索登録要求」メッセージをＩＰ−ＰＢＸ１−１に送信する（Ｓ３１）。ＩＰ−ＰＢＸ１−１は、「内線番号検索登録要求」メッセージを受信すると、内線検索登録処理を実行する（Ｓ３２）。このとき、図７とは異なり、未使用の内線番号がないとき、ＩＰ−ＰＢＸ１−１は、「内線番号検索登録要求応答」メッセージの要求結果にＮＧを示す値を付加し、ＩＰ端末７−１に送信する（Ｓ３３）。ＩＰ端末７−１は、要求結果にＮＧを示す値が付加された「内線番号検索登録要求応答」メッセージを受信とき、内線番号テーブル４４に内線番号を設定できず、内線利用不可状態となる。
【００４３】
図１０を参照して、ＩＰ端末７−１が拠点２に移動した場合に、ＩＰ−ＰＢＸ１−１とＩＰ−ＰＢＸ１−２を用いて、ＩＰ端末７−１が内線利用可能状態となるまでの処理シーケンスを説明する。図１０において、ＩＰ端末７−１のＭＡＣアドレスは、ＩＰ−ＰＢＸ１−１とＩＰ−ＰＢＸ１−２のＭＡＣアドレス−ＩＰアドレス変換テーブル２１に事前に登録された状態である。ＩＰ端末７−１は、拠点２に接続される時、ＩＰ−ＰＢＸ１−２のＭＡＣアドレステーブル４３にＭＡＣアドレス設定が有り、ＩＰ−ＰＢＸ１−２のＩＰアドレステーブル４２にＩＰアドレス設定が無い状態である。
【００４４】
図７と同様に、その状態ではＩＰパケットの送受信ができないため、ＩＰ端末７−１は、ＤＨＣＰプロトコルを使用し、ＩＰ−ＰＢＸ１−２へ「ＤＩＳＣＯＶＥＲ」を送信する（Ｓ４１）。ＩＰ−ＰＢＸ１−２は、「ＤＩＳＣＯＶＥＲ」受信後、「ＯＦＦＥＲ」を送信する（Ｓ４２）。そのメッセージを受信したＩＰ端末７−１は、再度ＩＰ−ＰＢＸ１−２に対して、「ＲＥＱＵＥＳＴ」を送信する（Ｓ４３）。ＩＰ−ＰＢＸ１−２は、「ＲＥＱＵＥＳＴ」を受信すると、ＭＡＣアドレス−ＩＰアドレス変換テーブル登録確認処理を実施する（Ｓ４４）。ＩＰ−ＰＢＸ１−２は、ＭＡＣアドレス−ＩＰアドレス変換テーブル２１にＭＡＣアドレスの登録がある場合、ＩＰ端末７−１に対して「ＡＣＫ」を送信する（Ｓ４５）。ＩＰ端末７−１は、「ＡＣＫ」を受信すると、「ＡＣＫ」に付加されたＩＰアドレスを設定する（Ｓ４６）。
【００４５】
ＩＰ端末７−１は、内線番号が付与された「内線番号検索登録要求」メッセージをＩＰ−ＰＢＸ１−１に送信する（Ｓ４７）。ＩＰ−ＰＢＸ１−１は、内線番号が付与された「内線番号検索登録要求」メッセージを受信すると、内線検索登録処理を実行する（Ｓ４８）。ＩＰ−ＰＢＸ１−１は、要求結果にＯＫを示す値が付加された「内線番号検索登録要求応答」メッセージをＩＰ端末７−１に送信する（Ｓ４９）。ＩＰ端末７−１は、要求結果にＯＫを示す値が付加された「内線番号検索登録要求応答」メッセージを受信すると、内線番号テーブル４４に内線番号を設定する（Ｓ５０）。ＩＰ端末７−１は、その内線番号の端末として、内線受付可能な状態となる。これらのシーケンスにより、ＩＰ端末７−１が拠点１から拠点２に移動した場合でも、拠点１で使用していた内線番号を拠点２でも使用できる。
【００４６】
図１１を参照して、ＩＰ−ＰＢＸがＤＨＣＰプロトコルの「ＲＥＱＵＥＳＴ」メッセージを受信したときの処理フローを説明する。図１１は、図７のステップ６、図８のステップ２４、図１０のステップ４８に相当する。
【００４７】
図１１において、ＩＰ−ＰＢＸ１が、「ＲＥＱＵＥＳＴ」メッセージを受信することによって、フローは開始される。ＩＰ−ＰＢＸ１は、ＭＡＣアドレス−ＩＰアドレス変換テーブル２１に登録されているかを判断する（Ｓ６１）。ＭＡＣアドレス−ＩＰアドレス変換テーブル２１に登録が有るとき、ＩＰ−ＰＢＸ１は、「ＡＣＫ」を送信する（Ｓ６２）。ＭＡＣアドレス−ＩＰアドレス変換テーブル２１に登録が無いとき、ＩＰ−ＰＢＸ１は、「ＮＡＫ」を送信する（Ｓ６３）。
【００４８】
図１２を参照して、ＩＰ−ＰＢＸが「内線番号検索登録要求」メッセージ受信した時の処理フローを説明する。図１２は、図７のステップ１７、図９のステップ３２、図１０のステップ４８に相当する。
【００４９】
図１２において、ＩＰ−ＰＢＸ１は、「内線番号検索登録要求」メッセージを受信すると、「内線番号検索登録要求」メッセージに付与されている内線番号が内線管理テーブル２２に付与されているか判断する（Ｓ７１）。付与されているとき、ＩＰ−ＰＢＸ１は、対象内線番号の内線管理テーブル２２のＩＰアドレス２２３を、「内線番号検索登録要求」メッセージ内のＩＰアドレスに更新する（Ｓ７２）。ＩＰ−ＰＢＸ１は、要求結果にＯＫを付加した「内線番号検索登録要求」メッセージをＩＰ端末７に送信する（Ｓ７３）。
【００５０】
ステップ７１で付与されていないとき、ＩＰ−ＰＢＸ１は、内線管理テーブル２２で未使用の内線番号があるか判定する（Ｓ７４）。内線管理テーブル２２内に未使用の内線番号があるとき、ＩＰ−ＰＢＸ１は、内線管理テーブル２２の該当内線番号に「内線番号検索登録要求」メッセージ内の付与されたＩＰアドレスを登録し、使用中フラグ２２１を使用中状態に設定する（Ｓ７６）。ＩＰ−ＰＢＸ１−１は、要求結果にＯＫを付加した「内線番号検索登録応答」メッセージをＩＰ端末７に送信する（Ｓ７７）。ステップ７４で内線番号がないとき、ＩＰ−ＰＢＸ１−１は、要求結果にＮＧを付加した「内線番号検索登録応答」メッセージをＩＰ端末７に送信する（Ｓ７８）。
【００５１】
図１３を参照して、ＩＰ−ＰＢＸにおいて、ＭＡＣアドレス登録する処理を説明する。図１３において、ＩＰ−ＰＢＸ１は、メンテナンスパネル装置４からＭＡＣアドレスが登録されたとき、ＭＡＣアドレス−ＩＰアドレス変換テーブル２１に既に登録済みかを判断する（Ｓ８１）。ＭＡＣアドレス−ＩＰアドレス変換テーブル２１に登録があるとき、ＩＰ−ＰＢＸ１は、メンテナンスパネル装置４に登録ＮＧを表示する（Ｓ８２）。ステップ８１でＭＡＣアドレス−ＩＰアドレス変換テーブル２１に登録がないとき、ＩＰ−ＰＢＸ１は、ＭＡＣアドレス−ＩＰアドレス変換テーブル２１に空きがあるかを判断する（Ｓ８３）。ＭＡＣアドレス−ＩＰアドレス変換テーブル２１に空きがあるとき、ＩＰ−ＰＢＸ１は、ＭＡＣアドレス−ＩＰアドレス変換テーブル２１にＭＡＣアドレスを登録する（Ｓ８４）。ＩＰ−ＰＢＸ１−１は、他に拠点があるかを判断する（Ｓ８５）。他に拠点があるとき、ＩＰ−ＰＢＸ１は、他拠点（ＩＰ−ＰＢＸ１−２）とＭＡＣアドレス−ＩＰアドレス変換テーブル２１を同期する（Ｓ８６）。ＩＰ−ＰＢＸ１は、登録ＯＫをメンテナンスパネル装置４に表示する（Ｓ８７）。
【００５２】
ステップ８３でＭＡＣアドレス−ＩＰアドレス変換テーブル２１に空きがないとき、ＩＰ−ＰＢＸ１は、メンテナンスパネル装置４に登録ＮＧを表示する（Ｓ８８）。ステップ８５で他に拠点がないとき、ＩＰ−ＰＢＸ１は、メンテナンスパネル装置４に登録ＯＫを表示する（Ｓ８９）。
【００５３】
図１４を参照して、内線番号検索登録要求メッセージと内線番号検索登録要求応答メッセージのフォーマットを説明する。図１４（ａ）において、内線番号検索登録要求メッセージは、ＩＰ端末７からＩＰ−ＰＢＸ１に対して送信されるメッセージである。メッセージ内容は、内線番号が設定なし、ＩＰアドレスが１９２.１６８.０.１１０、要求結果がなし、を示す。
【００５４】
図１４（ｂ）において、内線番号検索登録要求応答メッセージは、ＩＰ−ＰＢＸ１からＩＰ端末７に対して送信されるメッセージである。メッセージ内容は、内線番号が１０００、ＩＰアドレスが１９２.１６８.０.１１０、要求結果がＯＫを示す。
【００５５】
図１５を参照して、内線番号検索登録要求応答メッセージと内線番号検索登録要求メッセージのフォーマットを説明する。図１５（ａ）において、内線番号検索登録要求応答メッセージは、ＩＰ−ＰＢＸ１からＩＰ端末７−１に対して送信されるメッセージである。メッセージ内容は、内線番号が設定なし、ＩＰアドレスが１９２.１６８.０.１１０、要求結果がＮＧを示す。
【００５６】
図１５（ｂ）において、内線番号検索登録要求メッセージは、ＩＰ端末７からＩＰ−ＰＢＸ１に対して送信されるメッセージである。メッセージ内容は、内線番号が１０００、ＩＰアドレスが１９２.１６８.１.１１０、要求結果がなし、を示す。
【００５７】
図１６を参照して、内線番号検索登録要求応答メッセージのフォーマットを説明する。図１６において、内線番号検索登録要求応答メッセージは、ＩＰ−ＰＢＸ１からＩＰ端末７に対して送信されるメッセージである。メッセージ内容は、内線番号が１０００、ＩＰアドレスが１９２.１６８.１.１１０、要求結果がＯＫを示す。
【００５８】
本実施例によれば、専用のＩＰ端末を用いることなく、ＩＰ端末を接続するための制御機能、ＤＨＣＰサーバ機能、ＨＴＴＰサーバ機能を備えたＩＰ−ＰＢＸを用いることで、ＩＰ電話システム構築時に事前に専用のＩＰ端末を用意する作業を削減することができる。更に他の拠点に移動して使用する際に、元の内線番号を利用することができる。
【符号の説明】
【００５９】
１…ＩＰ−ＰＢＸ、３…ＨＵＢ、４…メンテナンスパネル装置（ＭＰ）、５…ＩＰ網、６…無線ＡＰ、７…ＩＰ端末、９…ＬＡＮケーブル、１０…制御部、１１…呼制御部、１２…処理判断部、１３…各種サーバ機能部、１４…内線番号検索登録処理部、１５…ＨＴＴＰサーバ機能部、１６…ＤＨＣＰサーバ機能部、２０…記憶部、２１…ＭＡＣアドレス−ＩＰアドレス変換テーブル、２２…内線管理テーブル、２３…内線アプリケーション、２４…番号管理テーブル、３０…制御部、３１…制御処理部、３２…各種クライアント機能部、３３…音声制御部、３４…表示制御部、３５…入力感知部、３６…ＨＴＴＰクライアント機能部、３７…ＤＨＣＰクライアント機能部、４０…記憶部、４１…内線アプリケーション、４２…ＩＰアドレステーブル、４３…ＭＡＣアドレステーブル、４４…線番号テーブル、５０…ＬＡＮインタフェース部、６０…入出力装置、７１…ＬＡＮインタフェース部、７２…ＢＵＳ、７３…音声出力部、７４…音声入力部、７５…表示出力部、７６…入力部、８０…ＢＵＳ。
【図１】
2015119391.tif 000003
【図２】
2015119391.tif 000004
【図３】
2015119391.tif 000005
【図４】
2015119391.tif 000006
【図５】
2015119391.tif 000007
【図６】
2015119391.tif 000008
【図７】
2015119391.tif 000009
【図８】
2015119391.tif 000010
【図９】
2015119391.tif 000011
【図１０】
2015119391.tif 000012
【図１１】
2015119391.tif 000013
【図１２】
2015119391.tif 000014
【図１３】
2015119391.tif 000015
【図１４】
2015119391.tif 000016
【図１５】
2015119391.tif 000017
【図１６】
2015119391.tif 000018